【手続補正書】
【提出日】平成27年2月5日(2015.2.5)
【手続補正１】
【補正対象書類名】特許請求の範囲
【補正対象項目名】全文
【補正方法】変更
【補正の内容】
【特許請求の範囲】
【請求項１】
患者接続型医療機器における漏れ電流を電気的に制限するためのシステムであって、
前記患者接続型医療機器の電池コンパートメントの第１の電源出力を、前記電池コンパートメントからの入力電圧の第１の極性に基づいて前記患者接続型医療機器の電子部品の第１の電源入力と選択的に接続する一つ以上のスイッチング装置の第１のセットと、
前記患者接続型医療機器の前記電池コンパートメントの第２の電源出力を、前記入力電圧の第２の極性に基づいて前記電子部品の第２の電源入力と選択的に接続する一つ以上のスイッチング装置の第２のセットとを有し、前記第１の極性が前記第２の極性と反対であり、
前記入力電圧が、完全に電池で満たされるときに前記電池コンパートメントによって出力される電圧であるとき、前記第１の電源出力が前記第１の電源入力と接続され、及び／又は前記第２の電源出力が前記第２の電源入力と接続される、システム。
【請求項２】
指定の型の電池が全て前記電池コンパートメントに設置されるとき、電池接続端子がアクセスできないように前記電池コンパートメントが設計される、請求項１に記載のシステム。
【請求項３】
前記第１の電源出力及び／又は前記第２の電源出力が、電界効果トランジスタ、ＴＲＩＡＣ、及びリレーの一つ以上を含む一つ以上の電子スイッチを用いて前記第１の電源入力及び／又は前記第２の電源入力に接続される、請求項１乃至２のいずれか一項に記載のシステム。
【請求項４】
前記第１の電源出力が前記第１の電源入力と間接的に接続され、及び／又は前記第２の電源出力が前記第２の電源入力と間接的に接続される、請求項１乃至３のいずれか一項に記載のシステム。
【請求項５】
前記第１の電源出力と前記第１の電源入力が正であり、前記第２の電源出力と前記第２の電源入力が負である、請求項１乃至４のいずれか一項に記載のシステム。
【請求項６】
前記第１のセットが前記第２の電源出力に基づいて前記第１の電源出力を前記第１の電源入力と選択的に接続し、前記第２のセットが前記第１の電源出力に基づいて前記第２の電源出力を前記第２の電源入力と選択的に接続する、請求項１乃至５のいずれか一項に記載のシステム。
【請求項７】
前記第１のセットが第２のスイッチング装置と直列に第１のスイッチング装置を含み、前記第２のセットが第３のスイッチング装置を含み、前記第１のスイッチング装置が前記第２の電源出力によって制御され、前記第２のスイッチング装置が前記第３のスイッチング装置及び／又は前記第２の電源出力によって制御され、前記第３のスイッチング装置が前記第１のスイッチング装置及び／又は前記第１の電源出力によって制御される、請求項１乃至５のいずれか一項に記載のシステム。
【請求項８】
前記第１のセットが第１のスイッチング装置を含み、前記第２のセットが第３のスイッチング装置と直列に第２のスイッチング装置を含み、前記第１のスイッチング装置が前記第２のスイッチング装置及び／又は前記第３のスイッチング装置によって制御され、前記第２のスイッチング装置が前記第１の電源出力及び／又は前記第１のスイッチング装置によって制御され、前記第３のスイッチング装置が前記第１のスイッチング装置及び／又は前記第１の電源入力によって制御される、請求項１乃至５のいずれか一項に記載のシステム。
【請求項９】
患者接続型医療機器であって、
請求項１乃至８のいずれか一項に記載のシステムと、
一つ以上の電池のための電池コンパートメントであって、前記電池コンパートメントは前記電池を直列接続し、第１の電源出力と第２の電源出力を含む、電池コンパートメントと、
第１の電源入力と第２の電源入力を含む電子部品と、
を有する、患者接続型医療機器。
【請求項１０】
請求項１乃至８のいずれか一項に記載のシステムを製造する方法。
【請求項１１】
請求項９に記載の患者接続型医療機器における漏れ電流を電気的に制限するための方法であって、
電池を電池コンパートメントに挿入するステップであって、前記電池は前記電池コンパートメントの電源出力及び一つ以上の電池接続端子に電気的に接続され、前記電源出力は第１の電源出力と第２の電源出力の一つである、ステップと、
前記電池接続端子の一つと患者の間に電気伝導経路を確立するステップであって、前記電気伝導経路は患者接続から独立している、ステップと、
入力電圧があらかじめ選択される動作入力電圧になるまで、前記電源出力と対応する電源入力の間の電流を遮断するステップとを有し、スイッチング装置の第１のセット及び／又は第２のセットが前記電流の遮断を容易にし、前記あらかじめ選択される動作入力電圧が、電池で完全に満たされるときに前記電池コンパートメントによって出力される電圧である、方法。
【請求項１２】
前記遮断するステップが、
第１の極性の入力電圧が総入力電圧であるときに前記第１のセットのスイッチング装置を閉じるステップと、
第２の極性の入力電圧が総入力電圧であるときに前記第２のセットのスイッチング装置を閉じるステップとを含む、請求項１１に記載の方法。
【請求項１３】
前記第１のセットが第２のスイッチング装置と直列に第１のスイッチング装置を含み、前記第２のセットが第３のスイッチング装置を含み、前記第１のスイッチング装置が第２の電源出力及び／又は前記第３のスイッチング装置によって制御され、前記第２のスイッチング装置が前記第３のスイッチング装置及び／又は第２の電源入力によって制御され、前記第３のスイッチング装置が前記第１のスイッチング装置及び／又は前記第２のスイッチング装置によって制御され、前記遮断するステップが、
第１の極性の入力電圧が前記あらかじめ選択される動作入力電圧になるまで前記第１のスイッチング装置を開くステップと、
第１の極性の入力電圧が総入力電圧であり、前記第１のスイッチング装置と前記第３のスイッチング装置の両方が閉じられるまで前記第２のスイッチング装置を開くステップと、
第２の極性の入力電圧が総入力電圧であり、前記第１のスイッチング装置が閉じられるまで前記第３のスイッチング装置を開くステップとを含む、請求項１１に記載の方法。
【請求項１４】
前記第１のセットが第１のスイッチング装置を含み、前記第２のセットが第３のスイッチング装置と直列に第２のスイッチング装置を含み、前記第１のスイッチング装置が前記第２のスイッチング装置及び／又は前記第３のスイッチング装置によって制御され、前記第２のスイッチング装置が第１の電源出力及び／又は前記第１のスイッチング装置によって制御され、前記第３のスイッチング装置が前記第１のスイッチング装置及び／又は第１の電源入力によって制御され、前記遮断するステップが、
第１の極性の入力電圧が総入力電圧であり、前記第２のスイッチング装置が閉じられるときに前記第１のスイッチング装置を閉じるステップと、
第２の極性の入力電圧が総入力電圧であるときに前記第２のスイッチング装置を閉じるステップと、
第２の極性の入力電圧が総入力電圧であり、前記第１のスイッチング装置と前記第２のスイッチング装置の両方が閉じられるときに前記第３のスイッチング装置を閉じるステップとを有する、請求項１１に記載の方法。
【請求項１５】
前記遮断するステップが、
前記第１のセットのスイッチング装置及び前記第２のセットのスイッチング装置の基板ダイオードを通る意図せぬ復路を遮断するステップを含む、請求項１１乃至１４のいずれか一項に記載の方法。